(57)【要約】【課題】健常者が用いる通常のタッチパネルを、特別な操作を必要とせずに、視覚障害者と健常者で共用する点字デバイス連携システムを提供する【解決手段】本体装置１００の本体制御部１１０は、タッチパネル１２０へのタッチを検出した場合、点字デバイス２００から送信された物体への接触タイミングと比較することで、このタッチが、点字デバイス２００によるものか否かを判定する。そして、点字デバイス２００によるタッチであれば、このタッチへの制御を、タッチによる操作キーの選択操作を無効にする点字デバイス対応制御に切り替える。【選択図】図９
2019020662.tif 000002
【特許請求の範囲】
【請求項１】
操作を受け付ける本体装置、および操作者の手に装着される点字デバイスを備える点字デバイス連携システムであって、
前記本体装置は、
表示面に画像を表示するとともに、操作者による前記表示面へのタッチを検出するタッチパネルと、
前記点字デバイスと通信する通信部と、
本体制御部と、を備え、
前記点字デバイスは、
操作者の指先を覆う指カバーと、
前記指カバーの指の腹に対応する位置に配置され、前記指カバーの外側が物体に接触したことを検知するセンサー部と、
前記指カバーの内側に配置され、点字情報を表示可能な点字表示部と、
通信部と、
点字デバイス制御部と、
を備え、
前記点字デバイス制御部は、前記センサー部の検出信号に応じた、物体への接触タイミングを前記本体装置に送信し、
前記本体制御部は、前記タッチパネルへのタッチを検出した場合、前記点字デバイスから受信した物体への前記接触タイミングと比較することで、前記タッチが前記点字デバイスによるものか否かを判定し、
前記タッチが前記点字デバイスによるものと判定した場合、前記タッチへの制御を、タッチによる操作キーの選択操作を無効にする点字デバイス対応制御に切り替える、点字デバイス連携システム。
【請求項２】
前記本体制御部は、前記点字デバイス対応制御に切り替えた場合に、切り替えたことを示すイネーブル信号を、前記点字デバイスに送信し、
前記点字デバイス制御部は、前記イネーブル信号を受信した場合、前記点字表示部により、前記点字デバイス対応制御に切り替わったことを示す情報を表示させる、請求項１に記載の点字デバイス連携システム。
【請求項３】
前記本体制御部は、前記点字デバイス対応制御に切り替えたタイミングの直前、または直後に、前記点字デバイス以外の物体による前記タッチパネルへのタッチを検出した場合、該タッチの操作に係る処理を元の状態に戻すアンドゥ処理または無効化処理を行う、請求項１または請求項２に記載の点字デバイス連携システム。
【請求項４】
前記本体制御部は、前記点字デバイス対応制御に切り替えた後、現在の前記点字デバイスによる前記タッチパネルのタッチ位置に対応する操作キーの情報を前記点字デバイスに送信し、
前記点字デバイス制御部は、前記点字表示部により、前記本体制御部から受信した前記情報を表示する、請求項１から請求項３のいずれか一項に記載の点字デバイス連携システム。
【請求項５】
前記点字デバイスは、さらに、操作者の操作を受け付ける決定スイッチを備え、
前記点字デバイス制御部は、前記決定スイッチが操作された場合、操作されたことを示すＯＮ信号を前記本体装置に送信し、
前記本体制御部は、前記点字デバイスから前記ＯＮ信号を受信した場合に、前記点字デバイスによるタッチ位置に対応する前記操作キーの選択操作を実行する、請求項４に記載の点字デバイス連携システム。
【請求項６】
操作者による表示面へのタッチを検出するタッチパネルを備えた本体装置と通信可能な点字デバイスであって、
操作者の指先を覆う指カバーと、
前記指カバーの指の腹に対応する位置に配置され、前記指カバーの外側が物体に接触したことを検知するセンサー部と、
前記指カバーの内側に配置され、前記指先に点字の触感を生じさせる、立体的な点字模様を表示可能な点字表示部と、
通信部と、
操作者が操作する決定スイッチと、
点字デバイス制御部と、
を備え、
前記点字デバイス制御部は、前記センサー部の検知信号に応じた、物体への接触タイミングを前記本体装置に送信し、
前記本体装置は、前記点字デバイスのタッチによる前記タッチパネルの操作キーへの選択操作を無効にし、前記決定スイッチによる前記操作キーの選択操作を有効にする点字デバイス対応制御を備え、
前記点字デバイス制御部は、前記本体装置から前記点字デバイス対応制御に切り替えたことを示すイネーブル信号を、前記本体装置から受信した場合に、前記決定スイッチが操作されたことを示すＯＮ信号を、前記本体装置に送信する、点字デバイス。
【請求項７】
前記指カバーの前記指の腹に対応する位置の導電性特性を変更し、前記指カバーのタッチパネルへの接触を検知させない無効状態に切り替える、切替部を、さらに備える、請求項６に記載の点字デバイス。
【請求項８】
前記点字デバイス制御部は、前記本体装置と通信できないときに、前記切替部により前記無効状態に設定する、請求項７に記載の点字デバイス。
【請求項９】
タッチパネルを通じた操作を受け付ける本体装置と、操作者の手に装着される点字デバイスであって、操作者の指先を覆う指カバー、前記指カバーの指の腹に対応する位置に配置され、前記指カバーの外側が物体に接触したことを検知するセンサー部、および前記指カバーの内側に配置され、点字情報を表示可能な点字表示部を備える点字デバイスとを備えた、点字デバイス連携システムの制御方法であって、
（ａ）前記点字デバイスの前記センサー部の検出信号に応じた物体への接触タイミングを、前記本体装置に送信するステップと、
（ｂ）前記本体装置で、前記タッチパネルへのタッチを検出した場合、前記点字デバイスから受信した物体への前記接触タイミングと比較することで、前記タッチが前記点字デバイスによるものか否かを判定するステップと、
（ｃ）前記タッチが前記点字デバイスによるものと判定した場合、前記タッチへの制御を、前記本体装置を、前記タッチパネルへのタッチによる操作キーの選択操作を無効にする点字デバイス対応制御に切り替えるステップと、
を含む、制御方法。
【請求項１０】
（ｄ）前記ステップ（ｃ）で前記点字デバイス対応制御に切り替えた場合に、切り替えたことを示すイネーブル信号を、前記本体装置から前記点字デバイスに送信するステップと、
（ｅ）前記点字デバイスは、前記イネーブル信号を受信した場合、前記点字表示部により、前記点字デバイス対応制御に切り替わったことを示す情報を表示するステップと、をさらに含む、請求項９に記載の制御方法。
【請求項１１】
（ｆ）前記ステップ（ｃ）で前記点字デバイス対応制御に切り替えた場合に、前記本体装置は、前記点字デバイス対応制御に切り替えたタイミングの直前、または直後に、前記点字デバイス以外の物体による前記タッチパネルへのタッチを検出した場合、該タッチの操作に係る処理を元の状態に戻すアンドゥ処理または無効化処理を行うステップ、をさらに含む、請求項９または請求項１０に記載の制御方法。
【発明の詳細な説明】
【技術分野】
【０００１】
本発明は、点字デバイス連携システム、点字デバイス、および点字デバイス連携システムの制御方法に関する。
【背景技術】
【０００２】
一般に、通常のタッチパネルでは視覚障害者は操作ができない。このような問題に対して、特許文献１に開示された技術では、通常モードと視覚障害者モードとを切り替え可能なタッチパネル装置が開示されている。この装置では、操作者がヘッドフォンを装着することで、または決定スイッチを操作することで視覚障害者モードに切り替わる。そして、視覚障害者モードでは、タッチパネルに操作者が触れた際、タッチ情報を制御手段に通知せずに、タッチした位置情報のみを制御手段に通知する。制御手段は、位置情報に相当する画面情報を音声で案内し、希望の画面情報であれば操作者はタッチパネルとは別の決定スイッチをＯＮする。決定スイッチのＯＮに応じてタッチパネル装置は、タッチ情報を制御手段に通知することで、通常モードと同様の操作を行えるようにしている。
【０００３】
また特許文献２に開示された技術では、無線通信可能な指キャップを装着した操作者を用いた入力装置が開示され、以下の処理を実行している。指キャップを装着した操作者がタッチパネルにタッチすると、タッチパネル側では、タッチの座標位置の操作種別情報に応じた点字マトリックス信号を指キャップに送信する。そして指キャップ側では、この点字マトリックス信号に応じた立体的な点字模様を内側に発生させる。操作者は、内側の点字模様をなぞることで、キーの種類を認識する。
【先行技術文献】
【特許文献】
【０００４】
【特許文献１】特開２００４−２７１７４８号公報
【特許文献２】特開２０００−１７２４０８号公報
【発明の概要】
【発明が解決しようとする課題】
【０００５】
しかしながら、特許文献１に開示された技術は、タッチパネルを健常者と視覚障害者で共用することは可能ではあるが、視覚障害者モードへの切り替えを専用の決定スイッチの押し下げにより行ったり、ヘッドフォンの装着をハードウェア的に検出することにより行ったりしている。また、特許文献２では、モードの切り替えについての言及はないが、操作キーの選択操作は、別の手で押しボタンを押し下げることにより行っている。このことから、視覚障害者が操作については何らかのモード切り替えが必要であることが理解できる。
【０００６】
このように、従来の技術では、視覚障害者と健常者とが同じタッチパネルを用いる場合には、何らかの特別な操作によるモードの切り替えが必要であり、操作の煩わしさがある。
【０００７】
本発明は、上記事情に鑑みてなされたものであり、健常者が用いる通常のタッチパネルを、特別な操作を必要とせずに、視覚障害者と健常者で共用できる点字デバイス連携システムを提供することを目的とする。
【課題を解決するための手段】
【０００８】
本発明の上記目的は、下記の手段によって達成される。
【０００９】
（１）操作を受け付ける本体装置、および操作者の手に装着される点字デバイスを備える点字デバイス連携システムであって、
前記本体装置は、
表示面に画像を表示するとともに、操作者による前記表示面へのタッチを検出するタッチパネルと、
前記点字デバイスと通信する通信部と、
本体制御部と、を備え、
前記点字デバイスは、
操作者の指先を覆う指カバーと、
前記指カバーの指の腹に対応する位置に配置され、前記指カバーの外側が物体に接触したことを検知するセンサー部と、
前記指カバーの内側に配置され、点字情報を表示可能な点字表示部と、
通信部と、
点字デバイス制御部と、
を備え、
前記点字デバイス制御部は、前記センサー部の検出信号に応じた、物体への接触タイミングを前記本体装置に送信し、
前記本体制御部は、前記タッチパネルへのタッチを検出した場合、前記点字デバイスから受信した物体への前記接触タイミングと比較することで、前記タッチが前記点字デバイスによるものか否かを判定し、
前記タッチが前記点字デバイスによるものと判定した場合、前記タッチへの制御を、タッチによる操作キーの選択操作を無効にする点字デバイス対応制御に切り替える、点字デバイス連携システム。
【００１０】
（２）前記本体制御部は、前記点字デバイス対応制御に切り替えた場合に、切り替えたことを示すイネーブル信号を、前記点字デバイスに送信し、
前記点字デバイス制御部は、前記イネーブル信号を受信した場合、前記点字表示部により、前記点字デバイス対応制御に切り替わったことを示す情報を表示させる、上記（１）に記載の点字デバイス連携システム。
【００１１】
（３）前記本体制御部は、前記点字デバイス対応制御に切り替えたタイミングの直前、または直後に、前記点字デバイス以外の物体による前記タッチパネルへのタッチを検出した場合、該タッチの操作に係る処理を元の状態に戻すアンドゥ処理または無効化処理を行う、上記（１）または上記（２）に記載の点字デバイス連携システム。
【００１２】
（４）前記本体制御部は、前記点字デバイス対応制御に切り替えた後、現在の前記点字デバイスによる前記タッチパネルのタッチ位置に対応する操作キーの情報を前記点字デバイスに送信し、
前記点字デバイス制御部は、前記点字表示部により、前記本体制御部から受信した前記情報を表示する、上記（１）から上記（３）のいずれか１つに記載の点字デバイス連携システム。
【００１３】
（５）前記点字デバイスは、さらに、操作者の操作を受け付ける決定スイッチを備え、
前記点字デバイス制御部は、前記決定スイッチが操作された場合、操作されたことを示すＯＮ信号を前記本体装置に送信し、
前記本体制御部は、前記点字デバイスから前記ＯＮ信号を受信した場合に、前記点字デバイスによるタッチ位置に対応する前記操作キーの選択操作を実行する、上記（４）に記載の点字デバイス連携システム。
【００１４】
（６）操作者による表示面へのタッチを検出するタッチパネルを備えた本体装置と通信可能な点字デバイスであって、
操作者の指先を覆う指カバーと、
前記指カバーの指の腹に対応する位置に配置され、前記指カバーの外側が物体に接触したことを検知するセンサー部と、
前記指カバーの内側に配置され、前記指先に点字の触感を生じさせる、立体的な点字模様を表示可能な点字表示部と、
通信部と、
操作者が操作する決定スイッチと、
点字デバイス制御部と、
を備え、
前記点字デバイス制御部は、前記センサー部の検知信号に応じた、物体への接触タイミングを前記本体装置に送信し、
前記本体装置は、前記点字デバイスのタッチによる前記タッチパネルの操作キーへの選択操作を無効にし、前記決定スイッチによる前記操作キーの選択操作を有効にする点字デバイス対応制御を備え、
前記点字デバイス制御部は、前記本体装置から前記点字デバイス対応制御に切り替えたことを示すイネーブル信号を、前記本体装置から受信した場合に、前記決定スイッチが操作されたことを示すＯＮ信号を、前記本体装置に送信する、点字デバイス。
【００１５】
（７）前記指カバーの前記指の腹に対応する位置の導電性特性を変更し、前記指カバーのタッチパネルへの接触を検知させない無効状態に切り替える、切替部を、さらに備える、上記（６）に記載の点字デバイス。
【００１６】
（８）前記点字デバイス制御部は、前記本体装置と通信できないときに、前記切替部により前記無効状態に設定する、上記（７）に記載の点字デバイス。
【００１７】
（９）タッチパネルを通じた操作を受け付ける本体装置と、操作者の手に装着される点字デバイスであって、操作者の指先を覆う指カバー、前記指カバーの指の腹に対応する位置に配置され、前記指カバーの外側が物体に接触したことを検知するセンサー部、および前記指カバーの内側に配置され、点字情報を表示可能な点字表示部を備える点字デバイスとを備えた、点字デバイス連携システムの制御方法であって、
（ａ）前記点字デバイスの前記センサー部の検出信号に応じた物体への接触タイミングを、前記本体装置に送信するステップと、
（ｂ）前記本体装置で、前記タッチパネルへのタッチを検出した場合、前記点字デバイスから受信した物体への前記接触タイミングと比較することで、前記タッチが前記点字デバイスによるものか否かを判定するステップと、
（ｃ）前記タッチが前記点字デバイスによるものと判定した場合、前記タッチへの制御を、前記本体装置を、前記タッチパネルへのタッチによる操作キーの選択操作を無効にする点字デバイス対応制御に切り替えるステップと、
を含む、制御方法。
【００１８】
（１０）（ｄ）前記ステップ（ｃ）で前記点字デバイス対応制御に切り替えた場合に、切り替えたことを示すイネーブル信号を、前記本体装置から前記点字デバイスに送信するステップと、
（ｅ）前記点字デバイスは、前記イネーブル信号を受信した場合、前記点字表示部により、前記点字デバイス対応制御に切り替わったことを示す情報を表示するステップと、をさらに含む、上記（９）に記載の制御方法。
【００１９】
（１１）（ｆ）前記ステップ（ｃ）で前記点字デバイス対応制御に切り替えた場合に、前記本体装置は、前記点字デバイス対応制御に切り替えたタイミングの直前、または直後に、前記点字デバイス以外の物体による前記タッチパネルへのタッチを検出した場合、該タッチの操作に係る処理を元の状態に戻すアンドゥ処理または無効化処理を行うステップ、をさらに含む、上記（９）または上記（１０）に記載の制御方法。
【発明の効果】
【００２０】
本発明によれば、本体装置の本体制御部は、タッチパネルへのタッチを検出した場合、点字デバイスから送信された物体への接触タイミングと比較することで、このタッチが、点字デバイスによるものか否かを判定する。そして、点字デバイスによるタッチであれば、このタッチへの制御を、タッチによる操作キーの選択操作を無効にする点字デバイス対応制御に切り替える。これにより、健常者が用いる通常のタッチパネルを、特別な操作を必要とせずに、視覚障害者と健常者で共用できる。
【図面の簡単な説明】
【００２１】
【図１Ａ】第１の実施形態に係る点字デバイス連携システムの外観を示す斜視図である。
【図１Ｂ】点字デバイスの外観を示す斜視図である。
【図２】本体装置のハードウェア構成を示すブロック図である。
【図３】点字デバイスのハードウェア構成を示すブロック図である。
【図４】指カバー周辺の断面模式図である。
【図５】タッチパネルに表示される操作画面の例である。
【図６】図５に対応する点字用の点字画像データの例である。
【図７】切替部の内部構成を示す模式図である。
【図８】点字デバイス側の制御を示すフローチャートである。
【図９】本体装置側の制御を示すメインのフローチャートである。
【図１０】図９のサブのフローチャートである。
【図１１】変形例１に係る点字デバイスの構成を示す断面模式図である。
【図１２】変形例２に係る本体装置のハードウェア構成を示すブロック図である。
【図１３】変形例２に係る点字デバイスのハードウェア構成を示すブロック図である。
【発明を実施するための形態】
【００２２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２３】
図１Ａは、第１の実施形態に係る点字デバイス連携システム５００の外観を示す斜視図であり、点字デバイス２００で、タッチパネル１２０を操作している状態を示す。図１Ｂは、点字デバイス２００の外観を示す斜視図である。図２は、本体装置１００のハードウェア構成を示すブロック図である。図３は、点字デバイス２００のハードウェア構成を示すブロック図である。図１Ａ〜図３に示すように、点字デバイス連携システム５００は、本体装置１００、および点字デバイス２００を備える。
【００２４】
（本体装置１００）
本体装置１００は、例えばＭＦＰ（Ｍｕｌｔｉｆｕｎｃｔｉｏｎ  Ｐｅｒｉｐｈｅｒａｌ）である。図２に示すように、本体装置１００は、本体制御部１１０、タッチパネル１２０、プリンター部１３０、スキャナー部１４０、ファクシミリ部１５０、および無線通信部１６０を備える。
【００２５】
本体制御部１１０は、ＣＰＵ、ＲＡＭ、およびＲＯＭを備える。またＨＤＤ（ハードディスクドライブ）などの補助記憶装置をさらに備えてもよい。ＲＯＭは、予め各種プログラムや各種データを格納しておき、ＲＡＭは、作業領域として一時的にプログラムやデータを記憶する。ＣＰＵは、プログラムにしたがって本体装置１００全体の制御を行う。
【００２６】
タッチパネル１２０は、タッチパネルまたはタッチスクリーンとも称されるものであり、液晶スクリーン等で構成される表示部１２１と、操作者の指の操作を検出するタッチ検出部１２２とを備える。
【００２７】
タッチ検出部１２２は、例えば、静電容量方式の検出部であり、操作者の指が、タッチパネル１２０の表面に接触した場合に、静電容量の変化に基づき、指の接触の有無、およびその接触位置（座標）を検出する。また複数本の指による同時タッチ（マルチタッチ）の検出にも対応している。
【００２８】
プリンター部１３０は、公知の電子写真方式またはインクジェット方式により、印刷データに基づいて用紙上に画像を形成する。
【００２９】
スキャナー部１４０は、原稿を載置する原稿ガラス、原稿に光りを照射する光源と、レンズ等の光学系、および反射した光から画像データを生成するＣＣＤ等の光学素子を備える。スキャナー部１４０は、原稿ガラスに載置した原稿、または自動原稿搬送装置により搬送された原稿の画像を読み取って画像データを生成する。
【００３０】
ファクシミリ部１５０は、モデム、データアクセス部を備える。モデムは、データアクセス部、および電話回線等の通信回線網に接続されている。データアクセス部は、相手先電話番号に応じたパルス信号を出力する機能を有する。ファクシミリ部１５０は通信回線網を通じて、相手先のファクシミリ装置と画像データの伝送を行う。
【００３１】
無線通信部１６０は、ＢＬＥ（Ｂｌｕｅｔｏｏｔｈ（登録商標）  Ｌｏｗ  Ｅｎｅｒｇｙ）、Ｂｌｕｅｔｏｏｔｈ（登録商標）、ＩＥＥＥ８０２．１１、ＩｒＤＡ等の無線通信インターフェースを備える。また、近距離無線通信として、ＦｅｌｉＣａ（登録商標）、ＩＳＯ／ＩＥＣ  １４４４３（ＭＩＦＡＲＥ（登録商標）の通信方式）、ＩＳＯ／ＩＥＣ  １８０９２（ＮＦＣ：Ｎｅａｒ  Ｆｉｅｌｄ  Ｃｏｍｍｕｎｉｃａｔｉｏｎ）等の通信方式を利用してもよい。
【００３２】
なお、本体装置１００が、これとは別に有線方式のインターフェースとして、イーサネット（登録商標）、ＦＤＤＩ等の規格によるＬＡＮ接続用インターフェースや、ＵＳＢ、ＩＥＥＥ１３９４等のシリアルインタフェースや、ＳＣＳＩ、ＩＥＥＥ１２８４等のパラレルインタフェース等のインターフェースを備えてもよい。
【００３３】
（点字デバイス２００）
図１Ａ、図１Ｂ、図２に示すように、点字デバイス２００は、点字デバイス制御部２１０、接触センサー２２０、点字表示部２３０、操作用の決定スイッチ２４０、導電状態を変更する切替部２５０、および無線通信部２６０を備える。
【００３４】
図１Ａ、図１Ｂに示すように、点字デバイス２００は、視覚障害者等の操作者の手に装着されるものであり、手袋本体部２９１、装着した状態で人差し指を覆う指カバー２９２、この手袋本体部２９１の手の甲の部分に設けられたユニットケース２９３で構成される。点字デバイス２００は、手袋本体部２９１の手首バンド（図示せず）により操作者の手に装着される。
【００３５】
指カバー２９２の先端部には、接触センサー２２０、点字表示部２３０、決定スイッチ２４０、および切替部２５０が設けられ、ユニットケース２９３の内部には、点字デバイス制御部２１０および無線通信部２６０が設けられる。
【００３６】
（点字デバイス制御部２１０、無線通信部２６０）
点字デバイス制御部２１０は、ＣＰＵ、ＲＡＭ、およびＲＯＭを備える。無線通信部２６０は、無線通信により、無線通信部１６０と通信を行う。これらの機能は、それぞれ本体制御部１１０、無線通信部１６０と同様であり、説明を省略する。
【００３７】
（接触センサー２２０）
接触センサー２２０は、指カバー２９２の指の腹に対応する位置に配置され、指カバー２９２の外側が、タッチパネル１２０の表面等の物体に接触したことを検知する。接触センサー２２０は、例えばマイクロスイッチまたは圧力センサーなどの機械的なセンサーであってもよく、光学的なセンサーであってもよい。また圧力センサーを用いた場合には、所定以上の圧力で物体に接触した場合に、接触したと判定するようにしてもよい。点字デバイス２００を装着した操作者が、指カバー２９２の先端でタッチパネル１２０等の何らかの物体にタッチした場合には、接触センサー２２０はそのタッチを検知する。
【００３８】
（点字表示部２３０）
点字表示部２３０は、指カバー２９２の内側に配置され、操作者に点字の感触を生じさせる立体的な点字模様を表示（具現）する。図４は、指カバー２９２周辺の断面模式図である。同図に示すように点字表示部２３０は、指先に触覚を感じさせる多数のピンが設けられており、このピンの高さ方向の突き出し量は、圧電素子により個別に変更できる。ピンの密度（解像度）は、一般的な点字のピッチ（２〜３ｍｍ）よりも高い密度で構成しており、点字模様以外にもテキスト情報や簡単な画像も表示可能である。
【００３９】
以下、図５、図６を参照し、点字表示部２３０で表示する点字模様の例を説明する。図５は、タッチパネル１２０に表示される操作画面の例である。操作画面には、複数の操作キーｋ１〜ｋ４（以下、これらをまとめて「操作キーｋ」ともいう）が配置され視覚的に表示されている。図６は、図５に対応する点字用の点字画像データｄ１〜ｄ４（以下、これらをまとめて「点字画像データｄ」ともいう）である。点字画像データｄ１〜ｄ４に含まれる点字情報は、それぞれ操作キーｋ１〜ｋ４に示される文字データに対応している。なお、この対応関係はあくまでも例示であり、操作キーｋ１〜ｋ４の文字データと、点字画像データとは一対一に対応する必要はなく、意味内容が対応していればよい。例えば点字画像データの点字数（文字数）を操作キーの文字データの文字数よりも少なくしてもよい。これらの図５の画面用の画像データおよび図６の点字用の画像データは、ともに本体制御部１１０の記憶部に記憶されている。
【００４０】
通常モードのときには、各操作キーｋを指でタッチすることで、各操作キーｋに対応した処理が実行される。例えば操作キーｋ１をタッチすることで、操作画面はコピーに関する設定画面に遷移する。後述する点字デバイス対応制御では、点字デバイス２００を装着した操作者が指カバー２９２で、操作画面の操作キーｋにタッチすることで、対応した点字画像データｄが点字表示部２３０に表示される。具体的には、例えば指カバー２９２でタッチパネル１２０表面の操作キーｋ１の枠内（四角枠）のいずれかの位置をタッチすることで、操作キーｋ１に対応した点字画像データｄ１が本体装置１００から、点字デバイス２００に無線通信により送信される。そして、点字デバイス２００は、受信した点字画像データｄ１を点字表示部２３０に表示する。なお、図６の例では、点字画像データｄ１は、６ピンを１組のデータとして６個のデータで構成されている。各データを、点字表示部２３０により所定時間間隔で順次表示するようにしてもよい。または、操作者による操作キーｋ１内でのスライド操作により、６個のデータをスクロールさせながら表示してもよい。さらに、点字画像データｄ１には、点字情報だけでなく、これら全体を囲む枠線などの図形を含めるようにしてもよい。
【００４１】
（決定スイッチ２４０）
決定スイッチ２４０は、点字表示部２３０に重畳して配置した圧力センサーである。操作者が指Ｆを下方に押し込むことで、圧力センサーにより所定以上の圧力が検知された場合に、点字デバイス制御部２１０は、操作者によって、決定スイッチがＯＮされたと判定する。なお決定スイッチ２４０としては、これに限られず、空いている方の手で操作するタクトスイッチであってもよい。また、その場合、このタクトスイッチをユニットケース２９３の上部に配置してもよい。
【００４２】
（切替部２５０）
切替部２５０は、指カバー２９２の指の腹に対応する位置に配置され、指カバー２９２の外側の導電状態を変更し、静電容量方式のタッチパネル１２０に対して反応されないようにする。以下においては、タッチパネル１２０に指カバー２９２でタッチしたとしても、接触が検知されない状態を無効状態といい、検知される状態を有効状態という。
【００４３】
図７（ａ）は、切替部２５０の内部構成を示す模式図であり、図７（ｂ）はその一部拡大図である。切替部２５０は、多数の微小の導電のプレート片２５１により構成されており、隣接するプレート片２５１間は、スイッチ２５２により電気的に連結されている。各プレート片２５１は、それ単体ではタッチパネル１２０で検出されない程度のサイズである。このサイズは、例えば１ｍｍ四方のサイズであり、タッチパネル１２０の感度により適宜選択してもよい。スイッチ２５２により各プレート片２５１を電気的に接続することで、有効状態となり、非接続にすることで無効状態となる。無効状態への切り替えは、後述するように無線通信が確立できない状況下でなされるが、操作者がスイッチ（図示せず）を操作することにより無効状態、有効状態を相互に切り替えるようにしてもよい。
【００４４】
（制御方法）
以下、図８〜図１０を参照し、点字デバイス連携システム５００の制御方法について説明する。図８は、点字デバイス２００側の制御を示すフローチャートである。図９は、本体装置１００側の制御を示すメインのフローチャートであり、図１０は、サブのフローチャートである。
【００４５】
（点字デバイス２００側の制御）
（ステップＳ１０１）
点字デバイス制御部２１０は、本体装置１００と通信可能であるか否かを判定する。本体装置１００と、例えばＢＬＥによる無線通信が確立できれば（ＹＥＳ）、処理をステップＳ１０２に進め、通信が確立できなければ（ＮＯ）、処理をステップＳ１１１に進める。
【００４６】
（ステップＳ１０２）
点字デバイス制御部２１０は、切替部２５０により有効状態に切り替える。以降は点字デバイス２００によるタッチパネル１２０、その他の静電容量方式のタッチパネルへのタッチ操作が可能になる。
【００４７】
（ステップＳ１０３）
ここでは、点字デバイス制御部２１０は、接触センサー２２０の出力をモニターし、センサー情報、すなわち何らかの物体への接触タイミングの情報をリアルタイムで、本体装置１００に送信する。この送信するデータは、接触センサー２２０の出力を数十Ｈｚ周期の信号に変換したものである。
【００４８】
（ステップＳ１０４）
ここでは、本体装置１００から点字情報を受信したか否かを判断する。点字情報を受信した場合（ＹＥＳ）には、処理をステップＳ１０５に進める。
【００４９】
（ステップＳ１０５）
点字表示部２３０に点字情報を表示する。表示内容が後述するステップＳ３０２によるイネーブル信号に係る点字情報であれば、例えば点字表示部２３０の全てのピンを持ち上げる。これにより、操作者は、点字デバイス２００は、点字デバイス対応制御に対応している装置のタッチパネル１２０にタッチしていることを認識できる。また、後述するステップＳ３０３による操作キーｋに応じた点字情報であれば、操作キーｋの内容を認識できる。
【００５０】
（ステップＳ１０６）
操作者は、点字表示部２３０の表示内容から、操作キーｋの内容を認識する。所望の操作キーｋであれば、決定スイッチ２４０をＯＮする（押し下げる）。点字デバイス制御部２１０は、決定スイッチ２４０がＯＮされた場合（ＹＥＳ）には、処理をステップＳ１０７に進める。ＯＮされない場合（ＮＯ）には、ステップＳ１０５に戻る。
【００５１】
（ステップＳ１０７）
点字デバイス２００は、決定スイッチ２４０のＯＮ信号を本体装置１００に送信する。
【００５２】
（ステップＳ１１１）
点字デバイス制御部２１０は、本体装置１００と無線通信が確立できなければ、切替部２５０により無効状態に切り替える。以降は点字デバイス２００によるタッチパネル１２０等へのタッチ操作が検出されなくなる。
【００５３】
（ステップＳ１１２）
ここは、点字デバイス制御部２１０は、点字表示部２３０に不使用状態する。例えば、点字表示部２３０の全てのピンを最下点まで下げることにより、操作者は無効状態として認識できるとともに、以降は、点字表示部２３０の作動を停止する。
【００５４】
（本体装置１００側の制御）
（ステップＳ２０１）
本体装置１００の本体制御部１１０は、点字デバイス制御部２１０と通信可能であるか否かを判定する。点字デバイス制御部２１０と無線通信が確立できれば（ＹＥＳ）、処理をステップＳ２０２に進め、通信が確立できなければ（ＮＯ）、処理をステップＳ２１１に進める。
【００５５】
（ステップＳ２０２）
ここでは、本体制御部１１０は、点字デバイス２００によりステップＳ１０３で、リアルタイムで送信されたセンサー情報を逐次受信する。
【００５６】
（ステップＳ２０３）
本体制御部１１０は、タッチパネル１２０へのタッチが検出されたかを判定する。タッチが検出されれば処理を、ステップＳ２０４に進める。
【００５７】
（ステップＳ２０４）
ここでは、ステップＳ２０３で検知したタッチが、点字デバイス２００によりタッチされたものか否かを判定し、点字デバイス２００によるタッチであれば（ＹＥＳ）、処理をステップＳ２０６に進め、そうでなければ（ＮＯ）、処理をステップＳ２０５に進める。この判定は、例えば点字デバイス２００から送信されてくるセンサー情報の接触タイミングを示す波形と、タッチパネル１２０へのタッチのタイミングを示す波形が同一であるか否かにより行う。より具体的には、センサー情報で非接触から接触に変化したタイミングが、本体装置１００でタッチを検出したタイミングと一致していれば、ステップＳ２０３で検知したタッチが、点字デバイス２００によりタッチされたものであると判定する。例えば、点字デバイス２００から、６０Ｈｚ周期のセンサー情報を受信する場合、本体装置１００は、非接触から接触に変化したタイミングが、同一周期あるいは１周期程度（約１６ｍｓｅｃ）の差であれば、点字デバイス２００によるタッチと判定する。
【００５８】
（ステップＳ２０５）
点字デバイス２００以外によるタッチ操作であるので、通常のタッチ処理を実行する。例えば操作画面の操作キーｋがタッチされた場合には、操作キーｋに対応した処理が実行される。
【００５９】
（点字デバイス対応制御（ステップＳ２０６のサブルーチン））
点字デバイス２００によるタッチに対しては、図１０に示す点字デバイス対応制御を実行する。本実施形態においては、この点字デバイス対応制御が実行されている最中であっても、点字デバイス２００以外によるタッチ操作を判定し続ける。例えば、視覚障害者が点字デバイスでタッチパネル１２０にタッチすることで、以下に説明する点字デバイス対応制御を実行する。そして、この実行中、または前後に、健常者が付き添って素手でタッチパネル１２０の別の操作キーｋを操作した場合には、この操作に応じた通常の制御を実行する。なお、この制御に代えて、点字デバイスによるタッチであると判定した場合に、これを起点として所定時間の間、または点字デバイス２００により終了操作がなされるまでの間、点字デバイス対応制御のみを実行し、点字デバイス２００以外のタッチを無効にする点字デバイス対応モードに移行するようにしてもよい。
【００６０】
（ステップＳ３０１）
ここでは、誤操作防止処理を実行する。具体的には、点字デバイス対応制御に切り替えた時、すなわち、点字デバイス２００によるタッチと判定したタイミング（Ｓ２０４：ＹＥＳ）の前後に点字デバイス以外の物体によるタッチパネル１２０へのタッチを検出した場合、タッチの操作に係る処理を元の状態に戻すアンドゥ処理（ｕｎｄｏ）または無効化処理を行う。例えば、判定タイミングに係るタッチの直前に指カバー２９２を装着した人差し指以外の指で、タッチパネル１２０にタッチした場合には、この操作を誤操作とみなす。そして、この操作に係る処理（例えば画面遷移や処理実行開始）が既に行われていれば、アンドゥ処理する。また、判定タイミングに係るタッチの直後であれば、このタッチを無効化処理する。ここで、この前後のタイミングは、上述のような６０Ｈｚ周期の信号であれば１周期程度を超える有意な時間差があった場合である。例えば点字デバイス２００によるタッチと判定したタイミングの前後百数十ｍｓｅｃ程度である。また、点字デバイス以外の物体によるタッチパネル１２０へのタッチであることの判定は、上述のステップＳ２０４の処理により行う。また、過去のタッチ操作に係る処理は、所定期間、タッチ装置がなされた時間とともに記憶部に記憶されている。
【００６１】
（ステップＳ３０２）
本体制御部１１０は、点字デバイス対応制御に切り替わったことを示すイネーブル信号に係る点字情報を点字デバイス２００に送信する。
【００６２】
（ステップＳ３０３）
本体制御部１１０は、続いて、タッチ位置に応じた点字情報を点字デバイス２００に送信する。例えば、操作画面の操作キーｋ１の枠内へのタッチであれば、操作キーｋ１に対応する点字画像データｄ１を送信する（図５、６参照）。また、その後、操作キーｋ２の枠内に指先（指カバー２９２）をスライドさせた場合には、点字画像データｄ２を送信する。
【００６３】
（ステップＳ３０４）
本体制御部１１０は、決定スイッチのＯＮ信号の受信を待つ。ＯＮ信号を受信した場合（ＹＥＳ）には、処理をステップＳ３０５に進め、受信しない場合には、処理をステップＳ３０３に戻す。
【００６４】
（ステップＳ３０５）
本体制御部１１０は、決定スイッチのＯＮ信号の受信に応じて、現時点で、点字デバイス２００によりタッチされている操作キーｋに応じた機能の処理を実行する。
【００６５】
このように本実施形態に係る点字デバイス連携システムにおいては、本体制御部１１０は、タッチパネル１２０へのタッチを検出した場合、点字デバイス２００から送信された物体への接触タイミングと比較することで、このタッチが、点字デバイス２００によるものか否かを判定する。そして、点字デバイス２００によるタッチであれば、このタッチへの制御を、タッチによる操作キーの選択操作を無効にする点字デバイス対応制御に切り替える。これにより、健常者が用いる通常のタッチパネルを、特別な操作を必要とせずに、視覚障害者と健常者で共用できる。
【００６６】
以上に説明した点字デバイス対応連携システムの本体装置および点字デバイスの構成は、上記の第１の実施形態の特徴を説明するにあたって主要構成を説明したのであって、上記の構成に限られず、特許請求の範囲内において、種々改変することができる。また、一般的な本体装置および点字デバイスが備える構成を排除するものではない。例えば、以下のような変形が可能である。
【００６７】
（変形例）
（変形例１）
第１の実施形態においては、切替部２５０は、導電のプレート片２５１の導電状態を切り替えることにより、静電容量方式のタッチパネルで、タッチが検知されない無効状態と有効状態とを切り替えていた。以下に示す変形例１に係る点字デバイス２００Ｂは、切替部２５０Ｂを移動することにより無効状態と有効状態を切り替える。
【００６８】
図１１は、変形例１に係る点字デバイス２００Ｂの構成を示す断面模式図であり、操作者の指Ｆの指先方向から視た図である。変形例１においては、同図に示す構成以外は、図１〜図４で示した点字デバイス２００と同一構成を備えるので説明を省略する。
【００６９】
図１１に示すように、指カバー２９２Ｂは内部が中空の円環状の断面を有する指カバーであり、内部に配置された導電性の切替部２５０Ｂは、移動機構（図示せず）により内部を移動可能に構成されている。
【００７０】
図１１（ａ）では、切替部２５０Ｂは、指Ｆの腹に対向する位置に配置されている。このとき、点字デバイス２００は有効状態であり、操作者は、指カバー２０Ｂを通じで指Ｆの腹で、タッチパネルを操作することにより、タッチ操作が可能である。
【００７１】
図１１（ｂ）では、切替部２５０Ｂは、指Ｆの背に対向する位置に配置されている。このとき、点字デバイス２００は無効状態であり、操作者は、指カバー２０Ｂを通じで指Ｆの腹で、タッチパネルを操作したとしても、タッチパネル側では、このタッチ操作を検出できない。
【００７２】
このように、変形例１に係る点字デバイス２００Ｂを用いても、第１の実施形態と同様の効果が得られる。なお、図１１に示した切替部２５０Ｂは、導電性の部材を、指Ｆの外周に沿って指の背側に回転移動することで、無効状態に切り替えたが、他の例として導電性の切替部２５０Ｂを、タッチパネル１２０から遠ざけるようにしてもよい。例えば無効状態においては、切替部２５０Ｂを指カバー２９２の外周面から１から２ｍｍ程度遠ざけるように移動する。このようにして無効状態に切り替えるような機構としてもよい。
【００７３】
（変形例２）
第１の実施形態では、点字デバイス２００と本体装置１００とは無線通信によりデータの送受信を行っていた。次に示す変形例２においては、接触通信（いわゆる人体通信）により通信を行うものである。
【００７４】
図１２、図１３は、それぞれ変形例２に係る本体装置１００Ｃおよび点字デバイス２００Ｃのハードウェア構成を示すブロック図である。図２、図３で示した第１の実施形態に係る装置とは、人体通信部を備える点で異なる。それ以外の構成は、第１の実施形態と同一であり、説明は省略する。
【００７５】
本体装置１００は、人体通信部１２３を備える。この人体通信部１２３は、タッチパネル１２０の表示部１２１、タッチ検出部１２２に重ねて配置されている。
【００７６】
点字デバイス２００は、人体通信部２７０を備える。この人体通信部２７０は、点字デバイス２００を装着した操作者が、指カバー２９２の指先（指の腹側）または指カバー２９２で覆われていない指の指先でタッチパネル１２０にタッチすることで、公知の接触通信（人体通信ともいう）を行う。
【００７７】
人体通信部２７０は、データに応じた量の電荷が、操作者の指カバー２９２の指先、または指先に誘起されるように荷電量を制御する。この荷電量は、通信速度（情報量）に応じた所定の速度で通信するデータに応じて変化する。そして、アンテナとして機能する人体通信部１２３は、操作者の指カバー２９２の荷電量の変化によって、誘起される荷電量の変化に応じたデータの信号を受信する。以上が点字デバイス２００から本体装置１００へのデータの送信方法であり、逆方向への通信も同じ方式により行われる。
【００７８】
変形例２においては、図８、図９に示した通信可能か否かの判断（ステップＳ１０１、Ｓ２０１）は、指カバー２９２の指先がタッチパネルに触れて、接触通信によるデータの送受信が開始することにより行われる。なお、変形例２においては、図１３に示すように点字デバイス２００Ｃは、接触センサー２２０を備えているが、この接触センサーを省略し、これに代えて、人体通信部１２３、２７０による通信が行われることで、点字デバイス２００Ｃによるタッチであると判定してもよい（ステップＳ２０４）。
【００７９】
このように、変形例２に係る本体装置１００Ｃおよび点字デバイス２００Ｃを備える点字デバイス連携システムを用いても、第１の実施形態と同様の効果が得られる。
【００８０】
（その他の変形例）
第１の実施形態等では、点字画像データｄは、本体制御部１１０に記憶されていたが、点字デバイス２００の点字デバイス制御部２１０に記憶されていてもよい。この場合、本体制御部１１０は、テキストデータ、すなわち文字コードのみを点字デバイス２００に送信すればよい。
【００８１】
またマルチタッチへの対応としては下記の処理を行ってもよい。具体的には点字デバイス２００の指カバー２９２（人差し指）によるタッチと他の指（中指や親指）によるタッチとが一緒に行われた場合には、マルチタッチの判定がなされる。この場合、点字デバイス２００以外の指によるタッチを排除する必要がある。例えば、点字デバイス２００によるタッチと他の指によるタッチに有意な時間差（信号１周期を超える）があった場合には、上述の誤操作防止処理（Ｓ３０１）により対応できる。一方で、複数のタッチ間で有意な時間差がなければ、マルチタッチの中間点（座標）をタッチ位置と判定したり、タッチ自体を無効にしたりしてもよい。また、無効にする場合には、その旨を点字表示部２３０により表示してもよい。
【００８２】
上述した第１の実施形態および各変形例に係る点字デバイス連携システムおよび点字デバイスにおける各種処理を行う手段および方法は、専用のハードウェア回路、またはプログラムされたコンピューターのいずれによっても実現することが可能である。上記プログラムは、たとえば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、点字デバイス連携システムの一機能としてその装置のソフトウエアに組み込まれてもよい。
【符号の説明】
【００８３】
５００  点字デバイス連携システム
１００  本体装置
１１０  本体制御部
１２０  タッチパネル
１６０  無線通信部
２００、２００Ｂ、２００Ｃ  点字デバイス
２１０  点字デバイス制御部
２２０  接触センサー
２３０  点字表示部
２４０  決定スイッチ
２５０  切替部
２６０  無線通信部
２７０  人体通信部
２９１  手袋本体部
２９２  指カバー
２９３  ユニットケース
【図１Ａ】
2019020662.tif 000003
【図１Ｂ】
2019020662.tif 000004
【図２】
2019020662.tif 000005
【図３】
2019020662.tif 000006
【図４】
2019020662.tif 000007
【図５】
2019020662.tif 000008
【図６】
2019020662.tif 000009
【図７】
2019020662.tif 000010
【図８】
2019020662.tif 000011
【図９】
2019020662.tif 000012
【図１０】
2019020662.tif 000013
【図１１】
2019020662.tif 000014
【図１２】
2019020662.tif 000015
【図１３】
2019020662.tif 000016